(57)【要約】【課題】第１コネクタの嵌合に係る作業性を良好なものとする。【解決手段】コネクタＣは、雌コネクタ用嵌合部１４とレバー式コネクタ用嵌合部１３とを有する雄コネクタ１０と、雌コネクタ用嵌合部１４に嵌合されるレバー隣接雌コネクタ２０Ａと、レバー式コネクタ用嵌合部１３に嵌合されるレバー式コネクタ３０と、を備え、レバー式コネクタ３０は、初期位置から嵌合位置へと回動されるのに伴ってレバー式コネクタ用嵌合部１３を嵌合状態に相対的に引き込むレバー３３と、レバー３３を収容するレバー収容部３５を有するハウジング３１と、を少なくとも備えており、レバー３３は、嵌合位置においてレバー隣接雌コネクタ２０Ａ側を向いた外面３３ｈがハウジング３１におけるレバー隣接雌コネクタ２０Ａ側を向いた外側面３１ｂと面一状をなす位置に配されている。【選択図】図１３
2015072872.tif 000002
【特許請求の範囲】
【請求項１】
互いに隣り合う形で配される第１嵌合部と第２嵌合部とを有していて、前記第２嵌合部にはカムピンが設けられている相手コネクタと、
前記第１嵌合部に嵌合される第１コネクタと、
前記第２嵌合部に嵌合される第２コネクタと、を備え、
前記第２コネクタは、前記カムピンを受け入れるカム溝を有するとともに前記カム溝に対する前記カムピンの進入を許容する初期位置から嵌合位置へと回動されるのに伴って前記第２嵌合部を嵌合状態に相対的に引き込むレバーと、前記レバーを収容するレバー収容部を有するコネクタハウジングと、を少なくとも備えており、
前記レバーは、前記嵌合位置において前記第１コネクタ側を向いた側面が前記コネクタハウジングにおける前記第１コネクタ側を向いた側面と面一状をなす位置、または前記コネクタハウジングにおける前記第１コネクタ側を向いた側面よりも内側に引っ込んだ位置に配されているコネクタ。
【請求項２】
前記コネクタハウジングは、前記嵌合位置とされた前記レバーにおける前記第１コネクタ側の端部に対して、前記第２嵌合部に対する嵌合方向の前側にて対向状に配されるレバー対向部を有しており、
前記レバー対向部には、前記嵌合位置とされた前記レバーにおける前記第１コネクタ側の端部との間に指入れ空間を有する指入れ用凹部が設けられている請求項１記載のコネクタ。
【請求項３】
前記レバーは、前記嵌合位置において前記第１コネクタ側を向いた側面が、前記コネクタハウジングの前記第１コネクタ側を向いた側面と面一状をなす位置に配されるよう前記レバー収容部に収容されている請求項１または請求項２記載のコネクタ。
【請求項４】
前記第２嵌合部には、前記第２コネクタに対する嵌合面から嵌合方向に沿って前方に突出する第２嵌合部側誤嵌合規制部が、前記第１嵌合部と前記第２嵌合部との並び方向について前記カムピンを挟んで間隔を空けた位置に一対並んで設けられているのに対し、前記第２コネクタを構成する前記コネクタハウジングには、一対の前記第２嵌合部側誤嵌合規制部をそれぞれ受け入れ可能な一対の第２コネクタ側規制部受け入れ凹部が前記第２嵌合部に対する嵌合面から凹む形で設けられており、
前記第１コネクタには、前記第１嵌合部に嵌合された状態に保持するためのロックアームが設けられるとともに、前記第１コネクタが前記第２嵌合部に嵌合されようとした場合に前記第２嵌合部側誤嵌合規制部に干渉することで嵌合の進行を規制する第１コネクタ側誤嵌合規制部と、前記第１コネクタ側誤嵌合規制部に連なるとともに前記嵌合方向に沿って延在する第１コネクタ側リブとが、前記並び方向について前記ロックアームを挟んで間隔を空けた位置に一対ずつ並んで設けられているのに対し、前記第１嵌合部には、前記ロックアームに係止するロック部が設けられるとともに、一対の前記第１コネクタ側誤嵌合規制部をそれぞれ受け入れ可能な一対の第１嵌合部側規制部受け入れ部と、一対の前記第１コネクタ側リブをそれぞれ受け入れる一対の第１嵌合部側リブ受け入れ部とが設けられている請求項１から請求項３のいずれか１項に記載のコネクタ。
【発明の詳細な説明】
【技術分野】
【０００１】
本発明は、コネクタに関する。
【背景技術】
【０００２】
レバー式コネクタは、相手コネクタに対して嵌合されるハウジングに相手コネクタとの嵌合を助勢するためのレバーを取り付けたものである。レバー式コネクタを相手コネクタに嵌合するに際しては、まずレバーを初期位置として相手側コネクタに突設されたカムピンをレバーのカム溝に係合させ、次いでレバーを嵌合位置へと回動操作することで、カムピンとカム溝とのカム作用によって両コネクタが引き寄せられ嵌合状態となる。このようなレバー式コネクタの一例として下記特許文献１に記載されたものが知られている。
【先行技術文献】
【特許文献】
【０００３】
【特許文献１】特開２００３−２４９３０４号公報
【発明の概要】
【発明が解決しようとする課題】
【０００４】
ところで、相手コネクタが上記のようなレバー式コネクタを嵌合するレバー式コネクタ用嵌合部に加えて、レバーを備えない非レバー式コネクタを嵌合可能な非レバー式コネクタ用嵌合部を備える構成とされた場合には、次の問題が生じることが懸念される。すなわち、先にレバー式コネクタをレバー式コネクタ用嵌合部に対して嵌合した後に、非レバー式コネクタの嵌合作業を行う作業手順を採った場合、レバー式コネクタのレバーが非レバー式コネクタ用嵌合部側に突き出していると、非レバー式コネクタの嵌合作業が阻害されるおそれがあったのである。
【０００５】
本発明は上記のような事情に基づいて完成されたものであって、第１コネクタの嵌合に係る作業性を良好なものとすることを目的とする。
【課題を解決するための手段】
【０００６】
本発明のコネクタは、互いに隣り合う形で配される第１嵌合部と第２嵌合部とを有していて、前記第２嵌合部にはカムピンが設けられている相手コネクタと、前記第１嵌合部に嵌合される第１コネクタと、前記第２嵌合部に嵌合される第２コネクタと、を備え、前記第２コネクタは、前記カムピンを受け入れるカム溝を有するとともに前記カム溝に対する前記カムピンの進入を許容する初期位置から嵌合位置へと回動されるのに伴って前記第２嵌合部を嵌合状態に相対的に引き込むレバーと、前記レバーを収容するレバー収容部を有するコネクタハウジングと、を少なくとも備えており、前記レバーは、前記嵌合位置において前記第１コネクタ側を向いた側面が前記コネクタハウジングにおける前記第１コネクタ側を向いた側面と面一状をなす位置、または前記コネクタハウジングにおける前記第１コネクタ側を向いた側面よりも内側に引っ込んだ位置に配されている。
【０００７】
このようにすれば、相手コネクタの第２嵌合部に対して第２コネクタを嵌合するには、まずレバーを初期位置とした状態で第２嵌合部のカムピンをレバーのカム溝に進入させる。そして、レバーを待機位置から嵌合位置へと回動させると、カムピン及びカム溝のカム作用によって相手コネクタの第２嵌合部が相対的に引き込まれて第２コネクタが第２嵌合部に対して嵌合された状態となる。
【０００８】
ここで、第２コネクタに備えられるレバーは、嵌合位置において第１コネクタ側を向いた側面と、コネクタハウジングにおける第１コネクタ側を向いた側面とが面一状をなす位置、または前者が後者よりも内側に引っ込んだ位置に配されている。従って、例えば、相手コネクタの第２嵌合部に対して先行して第２コネクタを嵌合し、その次に相手コネクタにおいて第２嵌合部に隣り合う配置の第１嵌合部に対して第１コネクタを嵌合する、といった作業手順を採った場合には、第１コネクタを嵌合する際に、レバーがコネクタハウジングにおける第１コネクタ側を向いた側面よりも第１コネクタ側に突き出すことが避けられているので、第１コネクタがレバーに対して干渉し難くなっている。これにより、第１コネクタの嵌合作業を円滑に行うことができ、作業性に優れる。
【０００９】
本発明のコネクタの実施態様として、次の構成が好ましい。
（１）前記コネクタハウジングは、前記嵌合位置とされた前記レバーにおける前記第１コネクタ側の端部に対して、前記第２嵌合部に対する嵌合方向の前側にて対向状に配されるレバー対向部を有しており、前記レバー対向部には、前記嵌合位置とされた前記レバーにおける前記第１コネクタ側の端部との間に指入れ空間を有する指入れ用凹部が設けられている。嵌合位置とされたレバーにおける第１コネクタ側を向いた側面と、コネクタハウジングにおける第１コネクタ側を向いた側面とが面一状をなす位置、または前者が後者よりも内側に引っ込んだ位置に配される構成とすれば、第１コネクタの嵌合に係る作業性に優れる反面、第２コネクタを相手コネクタの第２嵌合部から取り外す場合に、レバーの回動操作を行い難くなり、第２コネクタの離脱に係る作業性が悪化することが懸念される。その点、コネクタハウジングに有されて嵌合位置とされたレバーにおける第１コネクタ側の端部に対して、嵌合方向の前側にて対向状に配されるレバー対向部に、嵌合位置とされたレバーにおける第１コネクタ側の端部との間に指入れ空間を有する指入れ用凹部が設けられているから、第１コネクタ及び第２コネクタがそれぞれ相手コネクタの各嵌合部に対して嵌合された状態において、先に第２コネクタを取り外す場合、作業者は、指入れ用凹部と嵌合位置とされたレバーにおける第１コネクタ側の端部との間に有される指入れ空間内に指を入れることで、レバーを容易に回動操作することができる。これにより、第１コネクタの嵌合に係る作業性を良好なものに担保しつつも、第２コネクタの離脱に係る作業性に関しても良好なものとすることができる。
【００１０】
（２）前記レバーは、前記嵌合位置において前記第１コネクタ側を向いた側面が、前記コネクタハウジングの前記第１コネクタ側を向いた側面と面一状をなす位置に配されるよう前記レバー収容部に収容されている。このようにすれば、仮にレバーの上記側面がコネクタハウジングの上記側面よりも内側に引っ込んだ構成とされた場合に比べると、レバーにおける第１コネクタ側の端部から回動中心までの距離が相対的に長いものとなるので、より大きな倍力作用が得られる。従って、レバーの回動操作を行う際の作業性に優れる。
【００１１】
（３）前記第２嵌合部には、前記第２コネクタに対する嵌合面から嵌合方向に沿って前方に突出する第２嵌合部側誤嵌合規制部が、前記第１嵌合部と前記第２嵌合部との並び方向について前記カムピンを挟んで間隔を空けた位置に一対並んで設けられているのに対し、前記第２コネクタを構成する前記コネクタハウジングには、一対の前記第２嵌合部側誤嵌合規制部をそれぞれ受け入れ可能な一対の第２コネクタ側規制部受け入れ凹部が前記第２嵌合部に対する嵌合面から凹む形で設けられており、前記第１コネクタには、前記第１嵌合部に嵌合された状態に保持するためのロックアームが設けられるとともに、前記第１コネクタが前記第２嵌合部に嵌合されようとした場合に前記第２嵌合部側誤嵌合規制部に干渉することで嵌合の進行を規制する第１コネクタ側誤嵌合規制部と、前記第１コネクタ側誤嵌合規制部に連なるとともに前記嵌合方向に沿って延在する第１コネクタ側リブとが、前記並び方向について前記ロックアームを挟んで間隔を空けた位置に一対ずつ並んで設けられているのに対し、前記第１嵌合部には、前記ロックアームに係止するロック部が設けられるとともに、一対の前記第１コネクタ側誤嵌合規制部をそれぞれ受け入れ可能な一対の第１嵌合部側規制部受け入れ部と、一対の前記第１コネクタ側リブをそれぞれ受け入れる一対の第１嵌合部側リブ受け入れ部とが設けられている。このようにすれば、第１嵌合部に第１コネクタを嵌合すると、一対の第１コネクタ側誤嵌合規制部が一対の第１嵌合部側規制部受け入れ部に受け入れられるとともに、一対の第１コネクタ側リブが一対の第１嵌合部側リブ受け入れ部に受け入れられ、さらにはロックアームがロック部に係止されることで第１コネクタが第１嵌合部に嵌合した状態に保持される。第２嵌合部に第２コネクタを嵌合すると、一対の第２嵌合部側誤嵌合規制部が一対の第２コネクタ側規制部受け入れ凹部に受け入れられる。ここで、第１コネクタを誤って第２嵌合部に嵌合しようとした場合、一対の第２嵌合部側誤嵌合規制部の間に間隔が有されるため、そこに傾いた姿勢となった第１コネクタが入り込むことが懸念される。その点、第１コネクタには、ロックアームを挟んで間隔を空けた位置に互いに連なる形で第１コネクタ側誤嵌合規制部及び第１コネクタ側リブが一対ずつ並んで配されているので、仮に第１コネクタ側リブのみを設置し、その第１コネクタ側リブが第２嵌合部側誤嵌合規制部に干渉することで誤嵌合を規制した場合に比べると、第１コネクタ側誤嵌合規制部が第２嵌合部側誤嵌合規制部に干渉することで、傾いた姿勢となった第１コネクタが一対の第２嵌合部側誤嵌合規制部の間に入り込む事態がより生じ難くなっている。これにより、第１コネクタが第２嵌合部に誤って嵌合される事態を防ぐことができる。
【発明の効果】
【００１２】
本発明によれば、第１コネクタの嵌合に係る作業性を良好なものとすることができる。
【図面の簡単な説明】
【００１３】
【図１】本発明の実施形態１に係る各雌コネクタ（第１コネクタ）を嵌合した雄コネクタ（相手コネクタ）にレバー式コネクタ（第２コネクタ）を嵌合する前の状態を示す平面図
【図２】雄コネクタ（相手コネクタ）の正面図
【図３】レバーを初期位置としたレバー式コネクタ（第２コネクタ）の平面図
【図４】レバーを嵌合位置としたレバー式コネクタ（第２コネクタ）の平面図
【図５】レバーを嵌合位置としたレバー式コネクタ（第２コネクタ）の正面図
【図６】レバーを嵌合位置としたレバー式コネクタ（第２コネクタ）の背面図
【図７】レバーを嵌合位置としたレバー式コネクタ（第２コネクタ）に端子金具を挿入する前の状態を示す斜視図
【図８】レバーを嵌合位置としたレバー式コネクタ（第２コネクタ）に端子金具を挿入する途中の状態を示す斜視図
【図９】レバーを嵌合位置としたレバー式コネクタ（第２コネクタ）に端子金具を挿入した状態を示す斜視図
【図１０】雄コネクタ（相手コネクタ）にレバー式コネクタ（第２コネクタ）を嵌合する途中において、解除部が初期位置用ロックアームに当接した状態を示す一部切欠平面図
【図１１】雄コネクタ（相手コネクタ）にレバー式コネクタ（第２コネクタ）を嵌合する途中において、カムピンがカム溝の入り口部に進入するとともに解除部により初期位置用ロックアームが撓まされた状態を示す一部切欠平面図
【図１２】レバーが嵌合位置まで回動されて雄コネクタ（相手コネクタ）に対してレバー式コネクタ（第２コネクタ）が嵌合された状態を示す一部切欠平面図
【図１３】雄コネクタ（相手コネクタ）に各雌コネクタ（第１コネクタ）及びレバー式コネクタ（第２コネクタ）を嵌合した状態を示す平面図
【図１４】各雌コネクタ（第１コネクタ）及びレバー式コネクタ（第２コネクタ）を嵌合した雄コネクタ（相手コネクタ）の正面図
【図１５】本発明の実施形態２に係るレバー隣接雌コネクタ（第１コネクタ）の斜視図
【図１６】レバー隣接雌コネクタ（第１コネクタ）の正面図
【図１７】レバー隣接雌コネクタ（第１コネクタ）の平面図
【図１８】雄コネクタ（相手コネクタ）の正面図
【図１９】図１８のxix-xix線断面図
【図２０】雄コネクタ（相手コネクタ）の雌コネクタ用嵌合部にレバー隣接雌コネクタ（第１コネクタ）を嵌合する前の状態を示す一部切欠平面図
【図２１】雄コネクタ（相手コネクタ）の雌コネクタ用嵌合部にレバー隣接雌コネクタ（第１コネクタ）を嵌合した状態を示す一部切欠平面図
【図２２】雄コネクタ（相手コネクタ）のレバー式コネクタ用嵌合部にレバー隣接雌コネクタ（第１コネクタ）を嵌合しようとした場合において、嵌合の進行が規制された状態を示す一部切欠平面図
【図２３】図２２の要部拡大図
【図２４】本発明の実施形態３に係るレバーを嵌合位置としたレバー式コネクタ（第２コネクタ）の平面図
【発明を実施するための形態】
【００１４】
＜実施形態１＞
本発明の実施形態１を図１から図１４によって説明する。本実施形態１では、雄コネクタ（相手コネクタ）１０と、雄コネクタ１０に対して嵌合される複数の雌コネクタ（第１コネクタ、非レバー式コネクタ）２０と、雄コネクタ１０に対して嵌合されるレバー式コネクタ（第２コネクタ）３０と、を備えたコネクタＣについて例示する。なお、各図面の一部にはＸ軸、Ｙ軸及びＺ軸を示しており、各軸方向が各図面で示した方向となるように描かれている。また、前後方向については、両コネクタ１０，２０の嵌合方向を前方とし、逆の離脱方向を後方としている。また、上下方向については、図２及び図５などを基準としている。なお、複数の雌コネクタ２０には、幅寸法が異なるものが含まれており、このうちの幅寸法が最も大きな雌コネクタ２０を他の雌コネクタ２０と区別する場合には、その名称を「レバー隣接雌コネクタ（第１コネクタ）」として符号に添え字Ａを付すものとし、各雌コネクタ２０を区別せずに総称する場合には、符号に添え字を付さないものとする。
【００１５】
先に雄コネクタ１０について説明する。雄コネクタ１０は、図１及び図２に示すように、合成樹脂製の雄ハウジング（相手コネクタハウジング）１１と、導電性に優れた金属製とされて雄ハウジング１１に収容される複数の雄端子金具（相手端子金具）１２と、を備えており、その底面が図示しない基板に接する形で基板上に取り付けられている。なお、図１は、雄コネクタ１０に対して各雌コネクタ２０をそれぞれ嵌合しているものの、レバー式コネクタ３０については嵌合する前の状態を表している。雄ハウジング１１は、雄端子金具１２を保持する端子保持部１１ａ（図２を参照）と、端子保持部１１ａから前方に向けて突出する筒状のフード部１１ｂとを有している。雄端子金具１２は、前側部分が端子保持部１１ａを前後に貫通するとともにフード部１１ｂにより取り囲まれているのに対し、端子保持部１１ａから後方へ突出した部分が一旦下方へほぼ直角に屈曲された後、その後端部が再び後方へ向けてほぼ直角に屈曲された形状とされている。この雄端子金具１２のうち、フード部１１ｂ内に突き出す前端部が雌コネクタ２０やレバー式コネクタ３０の各端子金具３２（図２を参照）と導通接触可能なコネクタ側接続部１２ａとされるのに対し、後端部が基板上にプリントされた導電路（図示せず）に対して半田付けにより導通接続される基板側接続部１２ｂとなっている。
【００１６】
雄ハウジング１１のフード部１１ｂには、図２に示すように、その内部空間を複数に仕切る仕切り壁１１ｂ１が設けられており、それにより雌コネクタ２０及びレバー式コネクタ３０を個別に嵌合可能な複数の嵌合部１３，１４が設けられている。このうち、レバー式コネクタ３０を嵌合可能なレバー式コネクタ用嵌合部（第２嵌合部、レバー式コネクタ用嵌合部）１３は、雌コネクタ２０を嵌合可能な雌コネクタ用嵌合部（第１嵌合部、非レバー式コネクタ用嵌合部）１４によりＹ軸方向（幅方向）について両側から挟み込まれた配置とされる。つまり、レバー式コネクタ用嵌合部１３と雌コネクタ用嵌合部１４とは、互いに隣り合う形で配されるとともにその並び方向はＹ軸方向と一致している。このレバー式コネクタ用嵌合部１３は、その幅寸法及び高さ寸法がいずれの雌コネクタ用嵌合部１４の各同寸法よりも大きなものとされている。レバー式コネクタ用嵌合部１３には、フード部１１ｂの天井面から内向きに突出する形でレバー３３に係合可能なカムピン１３ａが設けられている。カムピン１３ａは、略円柱状をなしており、レバー式コネクタ用嵌合部１３の天井面におけるＹ軸方向（幅方向）についてほぼ中央位置で且つＸ軸方向（嵌合方向）について前端位置からやや後側に引っ込んだ位置に配されている。レバー式コネクタ用嵌合部１３におけるフード部１１ｂの天井面には、カムピン１３ａからＹ軸方向について所定の間隔を空けた位置にレバー３３のロック状態を解除するための解除部１３ｂと、嵌合動作をガイドするためのガイドリブ１３ｃと、がＹ軸方向について並ぶとともにそれぞれ内向きに突出する形で設けられている。また、レバー式コネクタ用嵌合部１３におけるフード部１１ｂの底面にも、上記と同様のガイドリブ（第２嵌合部側誤嵌合規制部）１３ｃが内向きに突出する形で設けられている。さらには、レバー式コネクタ用嵌合部１３における端子保持部１１ａの前端面（レバー式コネクタ３０に対する嵌合面）からは、前方に突出する形で配されるとともに、レバー式コネクタ３０以外の雌コネクタ２０が誤って嵌合するのを規制するための誤嵌合規制部（第２嵌合部側誤嵌合規制部）１３ｄが設けられている。誤嵌合規制部１３ｄは、Ｙ軸方向に沿って延びる、正面から視て横長な板状をなしており、Ｙ軸方向についてカムピン１３ａを挟んだ両側に一対が所定の間隔を空けて配されている。誤嵌合規制部１３ｄは、その前端が雄端子金具１２の前端よりも前方に位置している。一方、雌コネクタ用嵌合部１４は、Ｙ軸方向についてレバー式コネクタ用嵌合部１３を挟んだ両側に一対配されるとともに、図２に示す左端位置にもう１つが配されることで、合計３つ備えられている。これら３つの雌コネクタ用嵌合部１４は、大きさが互いに異なっている。各雌コネクタ用嵌合部１４におけるフード部１１ｂの天井面には、雌コネクタ２０のロックアーム２１ｂが係止可能とされるロック部１４ａが設けられている。
【００１７】
このコネクタＣには、図１及び図１４に示すように、雄コネクタ１０に備えられる３つの雌コネクタ用嵌合部１４に対して個別に嵌合可能な形で雌コネクタ（第１コネクタ）２０が３つ備えられている。３つの雌コネクタ２０のうち、雄コネクタ１０におけるＹ軸方向についての両端に位置する２つの雌コネクタ用嵌合部１４に嵌合される２つの雌コネクタ２０については、高さ寸法及び幅寸法が互いにほぼ等しいものの、図２に示す左端の雌コネクタ用嵌合部１４に対して右側に隣り合う雌コネクタ用嵌合部１４に嵌合される雌コネクタ２０については、高さ寸法が他の雌コネクタ２０とほぼ等しいものの、幅寸法が他の雌コネクタ２０に比べて相対的に大きなものとされる。この幅寸法が相対的に大きな雌コネクタ２０は、レバー式コネクタ３０に備えられて嵌合位置に配されたレバー３３の端部（指掛け部３３ｆ２）に対してＹ軸方向について僅かな間隔を空けた状態で隣接配置されている（図１３）。そして、３つの雌コネクタ２０は、以下のような共通構造を有している。すなわち、雌コネクタ２０は、合成樹脂製の雌ハウジング（非レバー式コネクタ用ハウジング）２１と、雌ハウジング２１内に収容される複数の雌端子金具（図示せず）と、を備えている。雌ハウジング２１は、略ブロック状をなすとともに雌端子金具を後方から個別に収容可能な雌端子金具収容室２１ａが設けられている。雌ハウジング２１の外周面のうち、図１４に示す上側の側面には、雄コネクタ１０の雌コネクタ用嵌合部１４に設けられたロック部１４ａ（図２）に係止されることで、雄コネクタ１０に対して雌コネクタ２０を嵌合状態に保持可能なロックアーム２１ｂが設けられている。なお、図１及び図１３では、雄コネクタ１０の雌コネクタ用嵌合部１４に対して嵌合される前（離脱された後）のレバー隣接雌コネクタ２０Ａを二点鎖線にて図示している。
【００１８】
レバー式コネクタ（第２コネクタ）３０は、図１及び図１４に示すように、上記した雌コネクタ２０と同様に雄コネクタ１０に対して嵌合可能な雌型のコネクタであり、雌コネクタ２０とは主にレバー３３の有無で相違するとともに、幅寸法及び高さ寸法がいずれの雌コネクタ２０の各同寸法よりも大きなものとされている。特に、レバー式コネクタ３０の高さ寸法が雌コネクタ２０の高さ寸法よりも大きくなる理由は、レバー式コネクタ３０が高さ方向（Ｚ軸方向）についての一端部側にレバー３３を備えているためである。レバー式コネクタ３０は、図３及び図７に示すように、合成樹脂製のハウジング（コネクタハウジング）３１と、ハウジング３１に収容される複数の端子金具３２と、ハウジング３１に収容されるレバー３３と、を備えている。ハウジング３１は、全体として横長な略ブロック状をなすとともに端子金具３２を収容する端子収容部３４と、端子収容部３４の外周面のうち横長な側面（底面とは反対側の天面）３４ｅとの間にレバー３３を収容するレバー収容空間ＬＳを保有するレバー収容部３５と、を有してなる（図６）。端子収容部３４には、図５及び図６に示すように、端子金具３２を後方から挿入可能な端子金具収容室３４ａが複数、前後に開口する形で設けられている。端子金具収容室３４ａに個別に収容される端子金具３２は、導電性に優れた金属製で、雌コネクタ２０の雌端子金具と同様に、雄端子金具１２に対して導通接続可能な雌型とされており、電線Ｗの端末に圧着接続されている。端子金具収容室３４ａは、端子収容部３４の幅方向における両端側部分では上下２段、幅方向（Ｙ軸方向）に５室ずつそれぞれ並んで配されているのに対し、端子収容部３４の幅方向における中央側部分では上下３段、幅方向に５室または６室並んで配されている。なお、端子収容部３４における底面（上記側面３４ｅとは反対側の横長な側面）には、上記中央側部分に配された一部の端子金具収容室３４ａを切り欠く形で、雄コネクタ１０のレバー式コネクタ用嵌合部１３における底面側に設けられたガイドリブ１３ｃを受け入れるガイドリブ受け入れ凹部（第２コネクタ側規制部受け入れ凹部）３４ｂが設けられている。これにより、端子金具収容室３４ａは、最上段では、幅方向に６室並ぶのに対し、下側の２段では、幅方向に４室と１室とに分かれた配置で合計５室ずつ並んでいる。端子収容部３４における前端面（レバー式コネクタ用嵌合部１３に対する嵌合面）には、図５に示すように、雄コネクタ１０のレバー式コネクタ用嵌合部１３に設けられた一対の誤嵌合規制部１３ｄを受け入れる規制部受け入れ凹部（第２コネクタ側規制部受け入れ凹部）３４ｃが前方に向けて開口する形で一対設けられている。
【００１９】
レバー収容部３５は、図３，図５及び図７に示すように、ハウジング３１の前縁部及び両側縁部からそれぞれ立ち上がる立ち上がり壁部３５ａと、各立ち上がり壁部３５ａの立ち上がり先端部に連なる対向壁部３５ｂと、を有してなる。対向壁部３５ｂは、ハウジング３１における高さ方向についての上側の側面３４ｅに対して間隔を空けつつ対向状に配されている。対向壁部３５ｂは、レバー３３の回動方向（レバー本体３３ａの板面）に並行する板面を有するとともにレバー３３を端子収容部３４の側面３４ｅとの間で挟み込んで保持する「レバー保持部」として機能する。レバー収容部３５のうち、前側の立ち上がり壁部３５ａ及び対向壁部３５ｂには、雄コネクタ１０のカムピン１３ａを受け入れるカムピン受け入れ溝部３５ｃが切り欠き形成されているのに加え、解除部１３ｂを受け入れる解除部受け入れ凹部３５ｄと、ガイドリブ１３ｃを受け入れるガイドリブ受け入れ凹部３５ｅと、がそれぞれ凹み形成されている。カムピン受け入れ溝部３５ｃは、レバー収容部３５における幅方向（Ｙ軸方向）のほぼ中央位置に配されているのに対し、解除部受け入れ凹部３５ｄ及びガイドリブ受け入れ凹部３５ｅは、カムピン受け入れ溝部３５ｃに対して幅方向について離間した位置にそれぞれ配されている。このうちの解除部受け入れ凹部３５ｄは、レバー３３に近い側の側壁が切り欠かれることでレバー収容空間ＬＳに連通されているので、解除部受け入れ凹部３５ｄ内にレバー３３の一部が進入可能とされている。そして、解除部受け入れ凹部３５ｄにおけるレバー３３側とは反対側の側壁には、レバー３３に設けられた初期位置用ロックアーム３３ｄに係止する初期位置用ロック部３５ｆがレバー３３側に突出する形で設けられている。この初期位置用ロック部３５ｆは、雄コネクタ１０の解除部１３ｂとはＹ軸方向について重なり合うもののＺ軸方向については重なり合わない配置とされる。さらには、対向壁部３５ｂにおける内側（レバー３３と対向する側）の板面には、レバー３３に設けられた嵌合位置用ロックアーム３３ｅに係止する嵌合位置用ロック部３５ｇが内側に突出する形で設けられている。端子収容部３４のうち対向壁部３５ｂと対向する側面３４ｅには、レバー３３を回動可能に軸支するための円柱状をなす軸部３４ｄがＺ軸方向（対向壁部３５ｂの板面の法線方向）に沿ってレバー収容空間ＬＳ内に突き出す形で設けられている（図３を参照）。また、対向壁部３５ｂのうち、上記したカムピン受け入れ溝部３５ｃ、解除部受け入れ凹部３５ｄ及びガイドリブ受け入れ凹部３５ｅが非形成とされた後端側部分には、Ｚ軸方向について外側に段付き状に突き出す形で部分的に肉厚な肉厚部３５ｈが設けられている。
【００２０】
レバー３３は、合成樹脂製とされ、図３に示すように、レバー収容部３５の対向壁部３５ｂの板面（Ｘ軸方向及びＹ軸方向）に並行する板面を有する板状をなすレバー本体３３ａを備えている。レバー本体３３ａは、ハウジング３１と同様に横長な平面形状を有するとともにその板面がレバー収容部３５の対向壁部３５ｂの壁面及びそれと対向する端子収容部３４の側面３４ｅに並行しており、対向壁部３５ｂと端子収容部３４との間に収容されるようになっている。レバー本体３３ａには、ハウジング３１の軸部３４ｄを嵌合可能な軸受け孔部３３ｂが板面を貫通する形で形成されるとともに（図３を参照）、雄コネクタ１０のレバー式コネクタ用嵌合部１３に設けられたカムピン１３ａを受け入れるカム溝３３ｃが切り欠き形成されている。そして、レバー３３は、レバー本体３３ａが上記したレバー収容部３５のレバー収容空間ＬＳ内に収容されると、軸部３４ｄが軸受け孔部３３ｂに嵌合されることで軸支されるとともに、カム溝３３ｃに対する雄コネクタ１０側のカムピン１３ａの進入を許容する初期位置（図３）から嵌合位置（図４）に至るまで時計回り方向に回動されるのに伴って相対的に雄コネクタ１０のレバー式コネクタ用嵌合部１３を嵌合状態に引き込むことが可能とされる。カム溝３３ｃは、入り口部３３ｃ１から奥端部３３ｃ２にかけて次第に回動軸である軸受け孔部３３ｂに接近するような略弧状（略渦巻き状）をなしており、初期位置では入り口部３３ｃ１がレバー収容部３５のカムピン受け入れ溝部３５ｃ内に配されるとともに前方に向けて開口している。
【００２１】
レバー本体３３ａには、図３及び図４に示すように、レバー３３を初期位置に保持するための初期位置用ロックアーム３３ｄと、レバー３３を嵌合位置に保持するための嵌合位置用ロックアーム３３ｅと、がそれぞれ設けられている。初期位置用ロックアーム３３ｄは、図３に示すように、カム溝３３ｃの入り口部３３ｃ１の近くから片持ち状に延在するとともに、基端部を支点としてレバー本体３３ａの板面に沿う方向に弾性的に撓むことが可能とされる。初期位置用ロックアーム３３ｄは、レバー３３が初期位置に配された状態では、その先端部が解除部受け入れ凹部３５ｄ内に進入するとともに初期位置用ロック部３５ｆに係止されることで、レバー３３を初期位置から嵌合位置側に回動するのを規制した状態に保持することが可能とされる。嵌合位置用ロックアーム３３ｅは、レバー本体３３ａのうちカム溝３３ｃに対して初期位置用ロックアーム３３ｄ側とは反対側の部分に一対のスリットを入れることで片持ち状に延在する形で設けられており、基端部を支点としてレバー本体３３ａの板面と直交する方向（Ｚ軸方向）に弾性的に撓むことが可能とされる。嵌合位置用ロックアーム３３ｅは、その自由端部がロック解除操作を行うことが可能なロック解除操作部３３ｅ１とされるとともに、ロック解除操作部３３ｅ１の前側位置には嵌合位置用ロック部３５ｇに係止可能な係止部３３ｅ２が凹み形成されている。嵌合位置用ロックアーム３３ｅは、レバー３３が初期位置に配された状態ではその全体がレバー収容部３５の外部に露出しているものの、図４に示すように、レバー３３が嵌合位置に配された状態ではＸ軸方向（嵌合方向）に沿って真っ直ぐに延在するとともに、係止部３３ｅ２が嵌合位置用ロック部３５ｇに係止されている（図１２を参照）。
【００２２】
レバー本体３３ａのうち、嵌合位置用ロックアーム３３ｅのロック解除操作部３３ｅ１側の端部には、図３に示すように、レバー３３を回動操作するための回動操作部３３ｆが設けられている。詳しくは、回動操作部３３ｆは、図６に示すように、レバー本体３３ａのうち嵌合位置用ロックアーム３３ｅを挟んだ両側部分にそれぞれ連なる部分と、当該部分間を架橋する一対の架橋部分３３ｆ１とを有しており、これらが嵌合位置用ロックアーム３３ｅを取り囲む形で環状をなしている。回動操作部３３ｆは、レバー本体３３ａに対してＺ軸方向（レバー本体３３ａの板面、対向壁部３５ｂの壁面、及び端子収容部３４の側面３４ｅの法線方向）について上下両側、つまり対向壁部３５ｂ側と、端子収容部３４側とにそれぞれ突き出す形で設けられている。しかも、回動操作部３３ｆは、そのＺ軸方向について上側（対向壁部３５ｂ側）の外面が、対向壁部３５ｂに設けられた肉厚部３５ｈの外面よりも外側に突き出すような厚み（高さ）を有している。これにより、作業者がレバー３３を回動操作する際に回動操作部３３ｆにおける被操作範囲（被押圧面積）が広く確保されるので、レバー３３及びレバー式コネクタ３０が小型であっても回動操作を容易に行うことが可能とされている。回動操作部３３ｆの端部には、嵌合位置とされたレバー３３を初期位置に向けて回動操作（解除操作）を行う際に作業者が指を掛けることが可能な指掛け部３３ｆ２が設けられている。この指掛け部３３ｆ２は、レバー３３のうち、回動中心（軸部３４ｄ及び軸受け孔部３３ｂ）からの距離が最も大きくなる端部に設けられており、レバー３３が嵌合位置とされた状態において、レバー隣接雌コネクタ２０Ａに対してＹ軸方向について所定の間隔（隙間）を空けて隣接する配置とされる。
【００２３】
そして、本実施形態１に係るレバー式コネクタ３０は、図４に示すように、嵌合位置とされたレバー３３の後端面３３ｇと、ハウジング３１の後端面３１ａと、が面一状をなす構成とされている。詳しくは、レバー３３は、初期位置においては、図３に示すように、その一部（回動操作部３３ｆの大部分を含む）がハウジング３１の後端面３１ａよりも後方に突き出す形で配されているのに対し、嵌合位置においては、図４に示すように、その全域がハウジング３１と平面に視て重畳する形で配されるとともに、レバー３３の後端面３３ｇがハウジング３１の後端面３１ａと面一状をなしている。このような構成とすれば、ハウジング３１の端子収容部３４に端子金具３２を収容する作業を行う際には、図７に示すように、レバー３３を嵌合位置にしておけば、レバー３３の後端面３３ｇがハウジング３１の後端面３１ａと面一状をなす配置とされるので、レバー３３がハウジング３１の後端面３１ａから後方に突き出すことが避けられ、もってレバー３３によって端子金具３２を端子収容部３４に収容する作業が妨げられる事態が生じ難くなっている。
【００２４】
ここで、上記したようにレバー３３の回動操作部３３ｆは、図６及び図７に示すように、レバー本体３３ａに対してＺ軸方向について上下両側に突き出す形で設けられており、その上下両側に突き出した部分がレバー収容部３５の対向壁部３５ｂとハウジング３１の一部とに対してそれぞれＺ軸方向（対向壁部３５ｂの板面及びそれと対向する端子収容部３４の側面３４ｅにおける法線方向）について重なり合う配置とされる。その一方、上記したようにレバー３３は、嵌合位置においてはその後端面３３ｇがハウジング３１の後端面３１ａと面一状をなしていることから、回動操作部３３ｆの全域がハウジング３１と平面に視て（Ｚ軸方向から視て）重畳する配置とされる。これに対し、レバー収容部３５の対向壁部３５ｂには、嵌合位置に配されたレバー３３の回動操作部３３ｆのうちのＺ軸方向についての上側の架橋部分３３ｆ１を受け入れるための第１操作部受け入れ凹部（過度回動規制凹部）３６が切り欠き形成されている（図７を参照）。さらには、ハウジング３１の後端部には、嵌合位置に配されたレバー３３の回動操作部３３ｆのうちのＺ軸方向についての下側の架橋部分３３ｆ１を受け入れるための第２操作部受け入れ凹部（過度回動規制凹部）３７が切り欠き形成されている（図６及び図７を参照）。そして、これら第１操作部受け入れ凹部３６及び第２操作部受け入れ凹部３７は、レバー３３が嵌合位置に達するまで回動されると、回動操作部３３ｆの上下各架橋部分３３ｆ１における前端面のほぼ全域にわたって当接することで、レバー３３が嵌合位置から初期位置側とは反対側（時計回り方向）にさらに回動されるのを規制することが可能とされている（図６及び図７を参照）。このように、互いにＺ軸方向について重なり合う回動操作部３３ｆ及び対向壁部３５ｂを利用してレバー３３における嵌合位置からの過度回動を規制することができるから、仮に別途専用の過度回動規制構造を設けた場合に比べると、構造の簡素化を図ることができるとともに、小型化を図る上でも一層有用とされる。
【００２５】
レバー収容部３５を構成する対向壁部３５ｂには、図３に示すように、第１操作部受け入れ凹部３６に加えて、初期位置に配されたレバー３３の回動操作部３３ｆのうちのＺ軸方向についての上側の架橋部分３３ｆ１を受け入れるための第３操作部受け入れ凹部（逆回動規制凹部）３８が切り欠き形成されている。第３操作部受け入れ凹部３８は、対向壁部３５ｂにおいて第１操作部受け入れ凹部３６に対してＹ軸方向について軸部３４ｄ側（後述する指入れ用凹部３９側とは反対側）に隣り合う形で配されている。第３操作部受け入れ凹部３８は、その前端位置（レバー３３に対する当接位置）が第１操作部受け入れ凹部３６の前端位置（レバー３３に対する当接位置）よりも後方に配されている。第３操作部受け入れ凹部３８は、対向壁部３５ｂに対するＸ軸方向についてのハウジング３１の後端位置からの切り欠き範囲が、対向壁部３５ｂに対する第１操作部受け入れ凹部３６の同切り欠き範囲よりも狭くなっている。そして、レバー３３の回動操作部３３ｆを構成するＺ軸方向についての上側の架橋部分３３ｆ１のうち、指掛け部３３ｆ２側とは反対側の端部は、レバー３３が初期位置とされた状態では、第３操作部受け入れ凹部３８に当接することで、レバー３３が初期位置から嵌合位置側とは反対側（逆方向）に回動する、逆回動を規制することが可能とされる。このように、互いにＺ軸方向について重なり合う回動操作部３３ｆ及び対向壁部３５ｂを利用してレバー３３における初期位置からの逆回動を規制することができるから、仮に別途専用の過度回動規制構造を設けた場合に比べると、構造の簡素化を図ることができるとともに、小型化を図る上でも一層有用とされる。
【００２６】
さらには、本実施形態１に係るレバー式コネクタ３０は、図４に示すように、嵌合位置とされたレバー３３の側面３３ｈと、ハウジング３１の外側面（側面）３１ｂとが面一状をなす構成とされている。詳しくは、嵌合位置とされたレバー３３のうち、回動操作部３３ｆの端部に配された指掛け部３３ｆ２における図４に示す右側（レバー隣接雌コネクタ２０Ａ側）を向いた側面３３ｈは、ハウジング３１における図４に示す右側を向いた外側面３１ｂと面一状をなしていて、同外側面３１ｂからＹ軸方向について側方外部に突き出すことがないものとされる。従って、雄コネクタ１０に対して各雌コネクタ２０及びレバー式コネクタ３０を嵌合した状態では、図１３及び図１４に示すように、レバー式コネクタ３０のレバー３３の指掛け部３３ｆ２がハウジング３１の外側面３１ｂからＹ軸方向について隣り合うレバー隣接雌コネクタ２０Ａ側に突き出すことがない配置とされている。このような構成によれば、雄コネクタ１０に対して先行してレバー式コネクタ３０を嵌合し、その次に隣り合うレバー隣接雌コネクタ２０Ａを嵌合する作業手順を採った場合、レバー隣接雌コネクタ２０Ａを嵌合する際に、レバー隣接雌コネクタ２０Ａがレバー式コネクタ３０のレバー３３に対して干渉し難くなるので、レバー隣接雌コネクタ２０Ａの嵌合作業を円滑に行うことができ、もって作業性に優れる。しかも、レバー３３におけるレバー隣接雌コネクタ２０Ａ側を向いた側面３３ｈと、ハウジング３１におけるレバー隣接雌コネクタ２０Ａ側を向いた外側面３１ｂとが面一状をなす構成とされているので、仮にレバーの側面がハウジングの側面よりもレバー隣接雌コネクタ２０Ａ側とは反対側に引っ込んだ構成とされた場合に比べると、レバー３３におけるレバー隣接雌コネクタ２０Ａ側の端部（指掛け部３３ｆ２）から回動中心（軸部３４ｄ及び軸受け孔部３３ｂ）までの距離が相対的に長いものとなるので、より大きな倍力作用（てこ作用）が得られる。従って、レバー３３の回動操作に要する力が小さなものとなり、回動操作に係る作業性に優れる。
【００２７】
上記したように嵌合位置とされたレバー３３の側面３３ｈが、ハウジング３１の外側面３１ｂに対して面一状をなす構成とすれば、隣り合うレバー隣接雌コネクタ２０Ａの嵌合作業性に優れる反面、レバー式コネクタ３０を雄コネクタ１０から取り外す場合に、レバー３３の回動操作部３３ｆにおける指掛け部３３ｆ２に作業者が指を掛け難くなり、レバー式コネクタ３０の離脱作業性が悪化することが懸念される。そこで、本実施形態１では、回動操作部３３ｆに対してＺ軸方向について重なり合う配置とされるハウジング３１の側端部には、回動操作部３３ｆの指掛け部３３ｆ２に指を掛ける際に指を入れ易くするための指入れ用凹部３９が切り欠き形成されている。詳しくは、指入れ用凹部３９は、ハウジング３１の側端部、言い換えると嵌合位置とされたレバー３３におけるレバー隣接雌コネクタ２０Ａ側の端部（指掛け部３３ｆ２）に対して、雄コネクタ１０のレバー式コネクタ用嵌合部１３に対する嵌合方向の前側にて対向状に配されるレバー対向部４０を切り欠くことで形成されている。指入れ用凹部３９は、Ｘ軸方向について後方に、Ｙ軸方向について側方に、Ｚ軸方向について上方にそれぞれ開口しており、レバー３３を嵌合位置に配した状態では、指掛け部３３ｆ２との間に指を入れることが可能な指入れ空間ＦＳを有している（図１３）。指入れ空間ＦＳは、Ｚ軸方向について上方に、Ｙ軸方向について側方にそれぞれ開口しており、これらの開口部分を通して指を入れることが可能とされている。指入れ用凹部３９は、ハウジング３１のレバー対向部４０を、Ｚ軸方向について回動操作部３３ｆの指掛け部３３ｆ２と重なり合う範囲を全域にわたって切り欠くことで形成されており、それにより指掛け部３３ｆ２の全域を受け入れることができる。指入れ用凹部３９は、レバー収容部３５の対向壁部３５ｂに設けられた第１操作部受け入れ凹部３６に対してＹ軸方向について第３操作部受け入れ凹部３８側とは反対側に隣り合う形で配されている。指入れ用凹部３９は、その前端位置が第１操作部受け入れ凹部３６の前端位置よりも前方に配されている。指入れ用凹部３９は、ハウジング３１のレバー対向部４０に対するＸ軸方向についてのハウジング３１の後端位置からの切り欠き範囲が、対向壁部３５ｂに対する第１操作部受け入れ凹部３６の同切り欠き範囲よりも広くなっている。このような構成によれば、レバー式コネクタ３０及びそれに隣り合うレバー隣接雌コネクタ２０Ａを雄コネクタ１０に対して嵌合した状態において、例えばレバー式コネクタ３０を取り外す場合には、指入れ用凹部３９と、嵌合位置とされたレバー３３の指掛け部３３ｆ２との間に有される指入れ空間ＦＳ内に作業者は指を入れることができるので、その指を指掛け部３３ｆ２に掛けることで回動操作部３３ｆを容易に回動操作することができる。これにより、嵌合位置とされたレバー３３の側面３３ｈを、ハウジング３１の外側面３１ｂに対して面一状とし、隣り合うレバー隣接雌コネクタ２０Ａの嵌合作業性を良好なものに担保しつつも、レバー式コネクタ３０の取り外し作業性に関しても良好なものとすることができる。
【００２８】
本実施形態１は以上のような構造であり、続いてその作用を説明する。まず、レバー式コネクタ３０の組み付けに際しては、先行してハウジング３１に対してレバー３３を組み付ける作業を行う。レバー３３は、ハウジング３１のレバー収容部３５に備えられるレバー収容空間ＬＳ内に後方から挿入され（図６）、その内部に配された軸部３４ｄに対して軸受け孔部３３ｂを嵌合させることで、回動可能な形で軸支される。レバー収容部３５内に収容したレバー３３を嵌合位置に配すると、嵌合位置用ロックアーム３３ｅが嵌合位置用ロック部３５ｇに係止されるとともに、回動操作部３３ｆの両架橋部分３３ｆ１が第１操作部受け入れ凹部３６に当接されることで、レバー３３が嵌合位置から回動方向について正逆いずれの向き（時計回り方向及び反時計回り方向）にも回動不能な状態に保持される。
【００２９】
続いて、上記したようにレバー３３を嵌合位置に保持した状態で組み付けたハウジング３１の端子収容部３４に対して端子金具３２を収容する作業を行う。電線Ｗの端末に接続された端子金具３２は、図７に示す状態からハウジング３１の端子収容部３４に備えられる端子金具収容室３４ａに対して後方から挿入される。ここで、ハウジング３１に組み付けられたレバー３３は、嵌合位置に保持されるとともに、その後端面３３ｇがハウジング３１の後端面３１ａと面一状をなしており、ハウジング３１の後端面３１ａから後方に突き出すことが避けられる。言い換えると、レバー３３がＺ軸方向について端子収容部３４の上側において庇状に突き出す配置とされることが避けられている。つまり、レバー３３は、端子収容部３４の後方の空間に対して平面視で影を形成することが殆どないものとされる。従って、作業者は、端子金具３２の挿入先である端子金具収容室３４ａの位置を目視により確認し易くなっているので、図８及び図９に示すように、端子金具３２を目的の端子金具収容室３４ａに対してスムーズに挿入することができる。もって端子金具３２の挿入作業性に優れる。なお、図７から図９では、紙面の都合上、複数ある端子金具３２の中から１本のみを代表して図示している。
【００３０】
全ての端子金具３２をハウジング３１内に収容したら、続いてレバー式コネクタ３０を雄コネクタ１０に対して嵌合する作業を行う。嵌合作業を行うのに先立って、嵌合位置用ロック部３５ｇに対する嵌合位置用ロックアーム３３ｅの係止状態を解除しつつレバー３３を嵌合位置から初期位置へと回動させておく。レバー３３が初期位置に配されると、初期位置用ロックアーム３３ｄが初期位置用ロック部３５ｆに係止されるとともに、回動操作部３３ｆの両架橋部分３３ｆ１が第３操作部受け入れ凹部３８に当接されることで、レバー３３が初期位置から回動方向について正逆いずれの向き（時計回り方向及び反時計回り方向）にも回動不能な状態に保持される。図１に示す状態からレバー式コネクタ３０を雄コネクタ１０のレバー式コネクタ用嵌合部１３内に嵌め入れる。レバー式コネクタ３０がレバー式コネクタ用嵌合部１３内に所定深さまで嵌め込まれると、図１０に示すように、カムピン１３ａがカムピン受け入れ溝部３５ｃ内に、解除部１３ｂが解除部受け入れ凹部３５ｄ内に、各ガイドリブ１３ｃが各ガイドリブ受け入れ凹部３４ｂ，３５ｅ内に、各誤嵌合規制部１３ｄが各規制部受け入れ凹部３４ｃ内に、それぞれ進入する。そして、解除部１３ｂが解除部受け入れ凹部３５ｄ内において初期位置用ロックアーム３３ｄの先端部に対して当接した状態からさらに嵌合が進行すると、図１１に示すように、解除部１３ｂによって初期位置用ロックアーム３３ｄが撓まされることで、初期位置用ロック部３５ｆに対する係止状態が解除される。これにより、レバー３３を初期位置から嵌合位置側へ回動させるのが許容される。この係止解除時には、カムピン１３ａは、レバー３３のカム溝３３ｃにおける入り口部３３ｃ１内に進入している。
【００３１】
ロック状態が解除されたレバー３３を初期位置から時計回り方向に回動させると、カムピン１３ａがカム溝３３ｃの周縁に沿って入り口部３３ｃ１から奥端部３３ｃ２側（軸部３４ｄ側）へと移動することで、ハウジング３１が雄ハウジング１１側へ相対的に引き込まれて嵌合が進行する。このとき、カムピン１３ａがカム溝３３ｃの周縁に係合することで、カム作用が発揮されるので、低い操作力でもって嵌合作業を行うことができる。このレバー３３の回動操作を行うに際しては、回動操作部３３ｆがレバー本体３３ａよりもＺ軸方向について上下に拡張されているので、レバー３３が小型であっても回動操作を行い易くなっており、もってレバー式コネクタ３０の小型化に好適とされる。レバー３３が嵌合位置にまで回動されると、図１２に示すように、両ハウジング１１，３１が正規の嵌合深さに達して両端子金具１２，３２が正規に導通接続されるとともに、カムピン１３ａがカム溝３３ｃの奥端部３３ｃ２に配される。このとき、嵌合位置用ロックアーム３３ｅが嵌合位置用ロック部３５ｇに対して係止されるとともに、回動操作部３３ｆの両架橋部分３３ｆ１が第１操作部受け入れ凹部３６に当接されることで、レバー３３が嵌合位置から回動方向について正逆いずれの向き（時計回り方向及び反時計回り方向）にも回動不能な状態に保持される。以上により両ハウジング１１，３１が正規の嵌合状態に保持される。
【００３２】
ところで、上記のようにレバー３３の回動作業を行うに際して、作業者はレバー３３が嵌合位置に至る手前の状態で回動操作を取り止める場合が生じ得るものとされる。その場合には、図１２の二点鎖線に示すように、レバー３３の一部がハウジング３１の後端面３１ａから後方に突き出す形で配されることになる。一方、レバー３３が嵌合位置に達していれば、レバー３３がハウジング３１の後端面３１ａから後方に突き出すことがなく、レバー３３の後端面３３ｇがハウジング３１の後端面３１ａと面一状をなす形で配される。従って、レバー３３がハウジング３１の後端面３１ａよりも後方に突き出していれば、レバー３３が嵌合位置に達しておらず、コネクタ１０，３０が完全嵌合状態には至っていない、半嵌合状態（不完全嵌合状態）であることが作業者に知られることになるので、半嵌合状態を容易に検知することができる。半嵌合状態が検知されたら、作業者はレバー３３の後端面３３ｇがハウジング３１の後端面３１ａと面一状になるまでレバー３３の回動操作を再開するようにすればよい。
【００３３】
上記のようにしてレバー式コネクタ３０の嵌合作業が行われた後に各雌コネクタ２０を雄コネクタ１０に対して嵌合する作業が行われる。ここで、雌コネクタ２０のうち、レバー式コネクタ３０において嵌合位置とされたレバー３３の指掛け部３３ｆ２に対して隣接するレバー隣接雌コネクタ２０Ａを対応する雌コネクタ用嵌合部１４に対して嵌合する際には、図１３に示すように、嵌合位置とされたレバー３３の指掛け部３３ｆ２におけるレバー隣接雌コネクタ２０Ａ側を向いた側面３３ｈが、ハウジング３１におけるレバー隣接雌コネクタ２０Ａ側を向いた外側面３１ｂと面一状をなしており、レバー３３がハウジング３１の上記外側面３１ｂよりもレバー隣接雌コネクタ２０Ａ側に突き出すことが避けられているから、嵌合過程でレバー隣接雌コネクタ２０Ａがレバー３３に干渉する事態が生じ難くなっている。これにより、レバー隣接雌コネクタ２０Ａを対応する雌コネクタ用嵌合部１４に対して円滑に嵌合させることができ、もって嵌合に係る作業性に優れる。各雌コネクタ２０は、対応する各雌コネクタ用嵌合部１４に嵌合されると、図１４に示すように、それぞれロックアーム２１ｂがロック部１４ａに係止されることで嵌合状態に保持される。
【００３４】
メンテナンスなどの事情により雄コネクタ１０からレバー式コネクタ３０を取り外す場合には、図１３及び図１４に示す状態から嵌合位置用ロックアーム３３ｅのロック解除操作部３３ｅ１を押圧して嵌合位置用ロックアーム３３ｅを撓ませることで、嵌合位置用ロック部３５ｇに対する係止部３３ｅ２の係止状態を解除しつつ、回動操作部３３ｆを操作することで嵌合位置から反時計回り方向に回動させる。この回動操作部３３ｆの操作を行うに際しては、回動操作部３３ｆの側面３３ｈがハウジング３１の外側面３１ｂと面一状をなしているため、指掛け部３３ｆ２に指を掛け難くなっているものの、ハウジング３１のレバー対向部４０を切り欠くことで指掛け部３３ｆ２との間に指入れ空間ＦＳを有するよう指入れ用凹部３９が設けられているので、作業者は上記指入れ空間ＦＳに指を入れることで、指掛け部３３ｆ２に容易に指を掛けることができる。これにより、レバー３３を嵌合位置から初期位置へ向けて回動させる作業を容易に行うことができ、レバー式コネクタ３０の離脱作業性に優れる。なお、レバー３３が嵌合位置から初期位置へと回動されるのに伴い、カムピン１３ａがカム溝３３ｃの奥端部３３ｃ２から入り口部３３ｃ１へと移動することで、ハウジング３１が雄ハウジング１１から相対的に引き離される形で離脱が進行するようになっている。
【００３５】
以上説明したように本実施形態１のコネクタＣは、互いに隣り合う形で配される雌コネクタ用嵌合部（第１嵌合部）１４とレバー式コネクタ用嵌合部（第２嵌合部）１３とを有していて、レバー式コネクタ用嵌合部１３にはカムピン１３ａが設けられている雄コネクタ（相手コネクタ）１０と、雌コネクタ用嵌合部１４に嵌合されるレバー隣接雌コネクタ（第１コネクタ）２０Ａと、レバー式コネクタ用嵌合部１３に嵌合されるレバー式コネクタ（第２コネクタ）３０と、を備え、レバー式コネクタ３０は、カムピン１３ａを受け入れるカム溝３３ｃを有するとともにカム溝３３ｃに対するカムピン１３ａの進入を許容する初期位置から嵌合位置へと回動されるのに伴ってレバー式コネクタ用嵌合部１３を嵌合状態に相対的に引き込むレバー３３と、レバー３３を収容するレバー収容部３５を有するハウジング（コネクタハウジング）３１と、を少なくとも備えており、レバー３３は、嵌合位置においてレバー隣接雌コネクタ２０Ａ側を向いた側面３３ｈがハウジング３１における外側面（側面）３１ｂと面一状をなす位置に配されている。
【００３６】
このようにすれば、雄コネクタ１０のレバー式コネクタ用嵌合部１３に対してレバー式コネクタ３０を嵌合するには、まずレバー３３を初期位置とした状態でレバー式コネクタ用嵌合部１３のカムピン１３ａをレバー３３のカム溝３３ｃに進入させる。そして、レバー３３を初期位置から嵌合位置へと回動させると、カムピン１３ａ及びカム溝３３ｃのカム作用によって雄コネクタ１０のレバー式コネクタ用嵌合部１３が相対的に引き込まれてレバー式コネクタ３０がレバー式コネクタ用嵌合部１３に対して嵌合された状態となる。
【００３７】
ここで、レバー式コネクタ３０に備えられるレバー３３は、嵌合位置においてレバー隣接雌コネクタ２０Ａ側を向いた側面３３ｈと、ハウジング３１におけるレバー隣接雌コネクタ２０Ａ側を向いた外側面３１ｂとが面一状をなす位置に配されている。従って、例えば、雄コネクタ１０のレバー式コネクタ用嵌合部１３に対して先行してレバー式コネクタ３０を嵌合し、その次に雄コネクタ１０においてレバー式コネクタ用嵌合部１３に隣り合う配置の雌コネクタ用嵌合部１４に対してレバー隣接雌コネクタ２０Ａを嵌合する、といった作業手順を採った場合には、レバー隣接雌コネクタ２０Ａを嵌合する際に、レバー３３の側面３３ｈがハウジング３１におけるレバー隣接雌コネクタ２０Ａ側を向いた外側面３１ｂよりもレバー隣接雌コネクタ２０Ａ側に突き出すことが避けられているので、レバー隣接雌コネクタ２０Ａがレバー３３に対して干渉し難くなっている。これにより、レバー隣接雌コネクタ２０Ａの嵌合作業を円滑に行うことができ、作業性に優れる。
【００３８】
しかも、仮に嵌合位置とされたレバーにおけるレバー隣接雌コネクタ２０Ａ側を向いた側面が、ハウジング３１におけるレバー隣接雌コネクタ２０Ａ側を向いた外側面３１ｂよりも内側に引っ込んだ構成とされた場合に比べると、レバー３３におけるレバー隣接雌コネクタ２０Ａ側の端部である指掛け部３３ｆ２から回動中心までの距離が相対的に長いものとなるので、より大きな倍力作用が得られる。従って、レバー３３の回動操作を行う際の作業性に優れる。
【００３９】
また、ハウジング３１は、嵌合位置とされたレバー３３におけるレバー隣接雌コネクタ２０Ａ側の端部である指掛け部３３ｆ２に対して、レバー式コネクタ用嵌合部１３に対する嵌合方向の前側にて対向状に配されるレバー対向部４０を有しており、レバー対向部４０には、嵌合位置とされたレバー３３におけるレバー隣接雌コネクタ２０Ａ側の端部である指掛け部３３ｆ２との間に指入れ空間ＦＳを有する指入れ用凹部３９が設けられている。嵌合位置とされたレバー３３におけるレバー隣接雌コネクタ２０Ａ側を向いた側面３３ｈと、ハウジング３１におけるレバー隣接雌コネクタ２０Ａ側を向いた外側面３１ｂとが面一状をなす位置に配される構成とすれば、レバー隣接雌コネクタ２０Ａの嵌合に係る作業性に優れる反面、レバー式コネクタ３０を雄コネクタ１０のレバー式コネクタ用嵌合部１３から取り外す場合に、レバー３３の回動操作を行い難くなり、レバー式コネクタ３０の離脱に係る作業性が悪化することが懸念される。その点、ハウジング３１に有されて嵌合位置とされたレバー３３におけるレバー隣接雌コネクタ２０Ａ側の端部である指掛け部３３ｆ２に対して、嵌合方向の前側にて対向状に配されるレバー対向部４０に、嵌合位置とされたレバー３３におけるレバー隣接雌コネクタ２０Ａ側の端部である指掛け部３３ｆ２との間に指入れ空間ＦＳを有する指入れ用凹部３９が設けられているから、レバー隣接雌コネクタ２０Ａ及びレバー式コネクタ３０がそれぞれ雄コネクタ１０の各嵌合部に対して嵌合された状態において、先にレバー式コネクタ３０を取り外す場合、作業者は、指入れ用凹部３９と嵌合位置とされたレバー３３におけるレバー隣接雌コネクタ２０Ａ側の端部である指掛け部３３ｆ２との間に有される指入れ空間ＦＳ内に指を入れることで、レバー３３を容易に回動操作することができる。これにより、レバー隣接雌コネクタ２０Ａの嵌合に係る作業性を良好なものに担保しつつも、レバー式コネクタ３０の離脱に係る作業性に関しても良好なものとすることができる。
【００４０】
＜実施形態２＞
本発明の実施形態２を図１５から図２３によって説明する。この実施形態２では、レバー隣接雌コネクタ１２０Ａに雌コネクタ側誤嵌合規制部４１を設けるようにしたものを示す。なお、上記した実施形態１と同様の構造、作用及び効果について重複する説明は省略する。
【００４１】
本実施形態２に係るレバー隣接雌コネクタ（第１コネクタ）１２０Ａには、図１５から図１７に示すように、レバー隣接雌コネクタ１２０Ａが雄コネクタ（相手コネクタ）１１０のレバー式コネクタ用嵌合部（第２嵌合部）１１３に嵌合されようとした場合に誤嵌合規制部（第２嵌合部側誤嵌合規制部）１１３ｄに干渉することで嵌合の進行を規制する雌コネクタ側誤嵌合規制部（第１コネクタ側誤嵌合規制部）４１が設けられている。ここで、レバー隣接雌コネクタ１２０Ａの構成について詳しく説明すると、レバー隣接雌コネクタ１２０Ａを構成する雌ハウジング１２１は、幅方向（Ｙ軸方向）の中央側部分が両端側部分よりも高さ寸法が大きくなっており、両者間には高さ方向（Ｚ軸方向）の上面に段差が生じている。雌ハウジング１２１における幅方向の中央側部分には、相対的に小型の雌端子金具収容室１２１ａが上下３段、幅方向に３室ずつ並んで配されているのに対し、幅方向の両端側部分には、相対的に大型の雌端子金具収容室１２１ａが上下２段、幅方向に４室ずつそれぞれ並んで配されている。雌ハウジング１２１における幅方向の中央側部分には、その上面にロックアーム１２１ｂが設けられているのに対し、幅方向の両端側部分には、その上面におけるロックアーム１２１ｂ寄り（中央側）の両端部に一対のリブ（第１コネクタ側リブ）４２がそれぞれ設けられている。
【００４２】
ロックアーム１２１ｂは、図１５から図１７に示すように、雌ハウジング１２１の前端位置から立ち上がるとともに後方に向けて嵌合方向（Ｘ軸方向）に沿ってほぼ真っ直ぐに延出する片持ち状をなしている。各リブ４２は、雌ハウジング１２１の前端位置から後端位置に至るまでほぼ全長にわたって嵌合方向（ロックアーム１２１ｂの延在方向）に沿って延在する壁状をなすとともに、ロックアーム１２１ｂをそのほぼ全長にわたって幅方向について両側から挟み込んでいる。これら一対のリブ４２は、ロックアーム１２１ｂよりも高くなる位置、若しくはロックアーム１２１ｂの上面と面一状をなす位置まで立ち上がっており、それにより電線などがロックアーム１２１ｂに対して引っ掛かり難いものとされる。そして、雌コネクタ側誤嵌合規制部４１は、雌ハウジング１２１の上面において、各リブ４２に対して幅方向（雌コネクタ用嵌合部１１４とレバー式コネクタ用嵌合部１１３との並び方向）について雌ハウジング１２１の端側、つまり各リブ４２に対してロックアーム１２１ｂ側とは反対側にそれぞれ隣り合う形で一対設けられており、ロックアーム１２１ｂ及び一対のリブ４２を幅方向について両側から一括して挟み込む配置とされている。雌コネクタ側誤嵌合規制部４１は、雌ハウジング１２１の上面における前端部から立ち上がる壁状をなすとともに、その前側の壁面が雌ハウジング１２１の前端面に並行し且つ同前端面と面一状をなしている。雌コネクタ側誤嵌合規制部４１は、その立ち上がり先端部がロックアーム１２１ｂの上面よりも僅かに低くなるよう形成されている。雌コネクタ側誤嵌合規制部４１は、Ｙ軸方向についてロックアーム１２１ｂ側に隣り合う各リブ４２に対してそれぞれ連ねられている。また、雌ハウジング１２１における上面の幅方向についての両端位置には、上記したリブ４２とほぼ同様の構成とされる第２のリブ４３が一対設けられており、その立ち上がり先端部が雌コネクタ側誤嵌合規制部４１の立ち上がり先端部とほぼ同じ高さとされている。また、リブ４２及び第２のリブ４３は、雌ハウジング１２１の後端部において幅方向に沿って延在する形で設けられたリブ間架橋壁４４によって相互に架橋されている。
【００４３】
上記したレバー隣接雌コネクタ１２０Ａが嵌合される、雄コネクタ１１０における図１８に示す左側の雌コネクタ用嵌合部１１４には、図１８及び図１９に示すように、一対の雌コネクタ側誤嵌合規制部４１をそれぞれ受け入れ可能な一対の雌コネクタ用嵌合部側規制部受け入れ部（第１嵌合部側規制部受け入れ部）４５が設けられている。詳しくは、雌コネクタ用嵌合部１１４を構成するフード部１１１ｂの天井側部分には、ロックアーム１２１ｂが係止されるロック部１１４ａが設けられるとともに、ロック部１１４ａを幅方向について両側に隣り合う位置に各一対のリブ４２をそれぞれ受け入れるリブ受け入れ部（第１嵌合部側リブ受け入れ部）４６が一対設けられている。そして、一対の雌コネクタ用嵌合部側規制部受け入れ部４５は、雌コネクタ用嵌合部１１４を構成するフード部１１１ｂの天井側部分において、一対のリブ受け入れ部４６に対して幅方向についてロック部１１４ａ側とは反対側に隣り合う形で配されるとともに、その隣り合うリブ受け入れ部４６にそれぞれ連なるよう設けられている。雌コネクタ用嵌合部側規制部受け入れ部４５及びリブ受け入れ部４６は、上記したフード部１１１ｂの天井側部分を部分的に切り欠いて形成されている。一対の雌コネクタ用嵌合部側規制部受け入れ部４５は、ロック部１１４ａ及び一対のリブ受け入れ部４６を幅方向について両側から一括して挟み込む配置とされている。雌コネクタ用嵌合部側規制部受け入れ部４５は、高さ方向についてレバー式コネクタ用嵌合部１１３の誤嵌合規制部１１３ｄと重なり合う配置とされている。従って、レバー隣接雌コネクタ１２０Ａを誤ってレバー式コネクタ用嵌合部１１３に嵌合した場合には、雌コネクタ側誤嵌合規制部４１が誤嵌合規制部１１３ｄに対して確実に干渉するようになっている。また、雌コネクタ用嵌合部１１４を構成するフード部１１１ｂの天井側部分における幅方向についての両端部には、一対の第２のリブ４３をそれぞれ受け入れ可能な一対の第２のリブ受け入れ部４７が設けられている。また、上記した雌コネクタ用嵌合部１１４における雄端子金具１１２の本数及び配置については、レバー隣接雌コネクタ１２０Ａにおける雌端子金具収容室１２１ａの設置数及び配置と同様で、嵌合可能な端子配置とされている。
【００４４】
続いて、雄コネクタ１１０のうち、レバー隣接雌コネクタ１２０Ａが嵌合される雌コネクタ用嵌合部１１４以外の部分に関して上記した実施形態１に記載したものとの相違点を説明する。雄コネクタ１１０には、図１８及び図１９に示すように、雌コネクタ用嵌合部１１４が一対のみ設けられており、一対の雌コネクタ用嵌合部１１４がレバー式コネクタ用嵌合部１１３を幅方向について両側から挟み込む配置とされている。一対の雌コネクタ用嵌合部１１４のうち、レバー隣接雌コネクタ１２０Ａが嵌合される雌コネクタ用嵌合部１１４は、その幅寸法がもう一方の雌コネクタ用嵌合部１１４よりも大きなものとされるのに対し、高さ寸法がもう一方の雌コネクタ用嵌合部１１４と同等とされる。また、一対の雌コネクタ用嵌合部１１４のうち、レバー隣接雌コネクタ１２０Ａが嵌合される雌コネクタ用嵌合部１１４に備えられる雄端子金具１１２は、もう一方の雌コネクタ用嵌合部１１４に備えられる雄端子金具１１２に比べると、小型とされている。
【００４５】
一方、レバー式コネクタ用嵌合部１１３は、図１８及び図１９に示すように、高さ寸法及び幅寸法がレバー隣接雌コネクタ１２０Ａが嵌合される雌コネクタ用嵌合部１１４よりも大きなものとされているため、レバー隣接雌コネクタ１２０Ａが誤って嵌合される可能性があるものとされている。レバー式コネクタ用嵌合部１１３は、幅寸法が上記した実施形態１に記載したものよりも大きなものとされるとともに、幅方向についての雄端子金具１１２の並列数が実施形態１に記載したものよりも多くなっている。そして、一対の誤嵌合規制部１１３ｄにおける幅方向についての内側（カムピン１１３ａ側）の端部には、Ｙ軸方向（幅方向）に沿って内側に向けて延長する形で延長規制部４８がそれぞれ設けられている。各延長規制部４８は、レバー式コネクタ用嵌合部１１３に備えられる雄端子金具１１２のうち、相対的に小型で且つ高さ方向に沿って３段並ぶ形で配される雄端子金具１１２群に対してＹ軸方向について重なり合う配置とされる。これら延長規制部４８によって、一対の誤嵌合規制部１１３ｄ間に空けられたＹ軸方向についての間隔が、上記した実施形態１に記載したものよりも狭められている。また、レバー式コネクタ用嵌合部１１３に備えられるフード部１１１ｂの底側部分にガイドリブが設けられておらず、それに代替して雄端子金具１１２が設けられている点で上記した実施形態１とは相違している。なお、上記したレバー式コネクタ用嵌合部１１３に対して嵌合されるレバー式コネクタの構成に関しては、幅寸法が大きくされるとともに、規制部受け入れ凹部に延長規制部４８を受け入れる延長凹部が連通して形成されている点などを除いては、概ね上記した実施形態１に記載したものと同様であり、本実施形態２においては図示は省略している。
【００４６】
本実施形態２は以上のような構造であり、続いてその作用を説明する。レバー隣接雌コネクタ１２０Ａの嵌合作業を行うに際しては、図２０に示すように、レバー隣接雌コネクタ１２０Ａを対応する雄コネクタ１１０の雌コネクタ用嵌合部１１４に対して正対させ、その状態からレバー隣接雌コネクタ１２０Ａを雌コネクタ用嵌合部１１４内に嵌め込むようにする。この嵌合過程では、ロックアーム１２１ｂが一旦撓まされるのに対し、各リブ４２，４３が各リブ受け入れ部４６，４７内に受け入れられるとともに、雌コネクタ側誤嵌合規制部４１が雌コネクタ用嵌合部側規制部受け入れ部４５内に受け入れられる。そして、レバー隣接雌コネクタ１２０Ａが正規深さまで嵌合されると、図２１に示すように、ロックアーム１２１ｂがロック部１１４ａに係止されることで、レバー隣接雌コネクタ１２０Ａが嵌合状態に保持される。
【００４７】
一方、レバー隣接雌コネクタ１２０Ａの嵌合作業を行う際に、雄コネクタ１１０のうち、本来嵌合すべき雌コネクタ用嵌合部１１４に対してＹ軸方向について隣り合うレバー式コネクタ用嵌合部１１３にレバー隣接雌コネクタ１２０Ａを誤って嵌合した場合には、図２２に示すように、一対の誤嵌合規制部１１３ｄ（延長規制部４８を含む）によってレバー隣接雌コネクタ１２０Ａの嵌合が規制されるようになっている。詳しくは、レバー隣接雌コネクタ１２０Ａがレバー式コネクタ用嵌合部１１３に対してＸ軸方向についての軸線を真っ直ぐな姿勢としつつ嵌め入れられようとした場合には、レバー隣接雌コネクタ１２０Ａの前端面に誤嵌合規制部１１３ｄが干渉することで、嵌合動作がそれ以上進行するのが規制される。そして、レバー隣接雌コネクタ１２０Ａがレバー式コネクタ用嵌合部１１３に対してＸ軸方向についての軸線を傾けた姿勢としつつ嵌め入れられようとした場合には、図２３に示すように、レバー隣接雌コネクタ１２０Ａの一部が一対の誤嵌合規制部１１３ｄの間に入り込む可能性があるのだが、その場合でもいずれか一方の雌コネクタ側誤嵌合規制部４１が誤嵌合規制部１１３ｄに干渉することで、レバー隣接雌コネクタ１２０Ａが一対の誤嵌合規制部１１３ｄの間に入り込み難くなるとともに、入り込む深さが浅く済むことになる。これにより、レバー隣接雌コネクタ１２０Ａの誤嵌合が規制されるとともに、レバー隣接雌コネクタ１２０Ａがレバー式コネクタ用嵌合部１１３に備えられる雄端子金具１１２に対して干渉して雄端子金具１１２を変形させる、といった事態が生じ難くなる。
【００４８】
以上説明したように本実施形態２によれば、レバー式コネクタ用嵌合部１１３には、レバー式コネクタに対する嵌合面から嵌合方向に沿って前方に突出する誤嵌合規制部（第２嵌合部側誤嵌合規制部）１１３ｄが、雌コネクタ用嵌合部１１４とレバー式コネクタ用嵌合部１１３との並び方向についてカムピン１１３ａを挟んで間隔を空けた位置に一対並んで設けられているのに対し、レバー式コネクタを構成するハウジングには、一対の誤嵌合規制部１１３ｄをそれぞれ受け入れ可能な図示しない一対の規制部受け入れ凹部（第２嵌合部側規制部受け入れ凹部）がレバー式コネクタ用嵌合部１１３に対する嵌合面から凹む形で設けられており、レバー隣接雌コネクタ１２０Ａには、雌コネクタ用嵌合部１１４に嵌合された状態に保持するためのロックアーム１２１ｂが設けられるとともに、レバー隣接雌コネクタ１２０Ａがレバー式コネクタ用嵌合部１１３に嵌合されようとした場合に誤嵌合規制部１１３ｄに干渉することで嵌合の進行を規制する雌コネクタ側誤嵌合規制部（第１コネクタ側誤嵌合規制部）４１と、雌コネクタ側誤嵌合規制部４１に連なるとともに嵌合方向に沿って延在するリブ（第１コネクタ側リブ）４２とが、並び方向についてロックアーム１２１ｂを挟んで間隔を空けた位置に一対ずつ並んで設けられているのに対し、雌コネクタ用嵌合部１１４には、ロックアーム１２１ｂに係止するロック部１１４ａが設けられるとともに、一対の雌コネクタ側誤嵌合規制部４１をそれぞれ受け入れ可能な一対の雌コネクタ用嵌合部側規制部受け入れ部（第１嵌合部側規制部受け入れ部）４５と、一対のリブ４２をそれぞれ受け入れる一対のリブ受け入れ部（第１嵌合部側リブ受け入れ部）４６とが設けられている。このようにすれば、雌コネクタ用嵌合部１１４にレバー隣接雌コネクタ１２０Ａを嵌合すると、一対の雌コネクタ側誤嵌合規制部４１が一対の雌コネクタ用嵌合部側規制部受け入れ部４５に受け入れられるとともに、一対のリブ４２が一対のリブ受け入れ部４６に受け入れられ、さらにはロックアーム１２１ｂがロック部１１４ａに係止されることでレバー隣接雌コネクタ１２０Ａが雌コネクタ用嵌合部１１４に嵌合した状態に保持される。レバー式コネクタ用嵌合部１１３にレバー式コネクタを嵌合すると、一対の誤嵌合規制部１１３ｄが一対の規制部受け入れ凹部に受け入れられる。ここで、レバー隣接雌コネクタ１２０Ａを誤ってレバー式コネクタ用嵌合部１１３に嵌合しようとした場合、一対の誤嵌合規制部１１３ｄの間に間隔が有されるため、そこに傾いた姿勢となったレバー隣接雌コネクタ１２０Ａが入り込むことが懸念される。その点、レバー隣接雌コネクタ１２０Ａには、ロックアーム１２１ｂを挟んで間隔を空けた位置に互いに連なる形で雌コネクタ側誤嵌合規制部４１及びリブ４２が一対ずつ並んで配されているので、仮にリブ４２のみを設置し、そのリブ４２が誤嵌合規制部１１３ｄに干渉することで誤嵌合を規制した場合に比べると、雌コネクタ側誤嵌合規制部４１が誤嵌合規制部１１３ｄに干渉することで、傾いた姿勢となったレバー隣接雌コネクタ１２０Ａが一対の誤嵌合規制部１１３ｄの間に入り込む事態がより生じ難くなっている。これにより、レバー隣接雌コネクタ１２０Ａがレバー式コネクタ用嵌合部１１３に誤って嵌合される事態を防ぐことができる。
【００４９】
＜実施形態３＞
本発明の実施形態３を図２４によって説明する。この実施形態３では、レバー式コネクタ２３０において、嵌合位置とされたレバー２３３の側面２３３ｈと、ハウジング２３１の外側面２３１ｂとの位置関係を変更したものを示す。なお、上記した実施形態１と同様の構造、作用及び効果について重複する説明は省略する。
【００５０】
本実施形態３に係るレバー式コネクタ２３０は、図２４に示すように、嵌合位置とされたレバー２３３の側面２３３ｈに対してハウジング２３１の外側面２３１ｂがＹ軸方向について側方に突き出した配置とされている。言い換えると、嵌合位置とされたレバー２３３は、その側面２３３ｈがハウジング２３１の外側面２３１ｂよりもＹ軸方向について内側に引っ込んだ形で配されている。このような構成であっても、レバー式コネクタ２３０の嵌合作業を行った後に、図示しないレバー隣接雌コネクタの嵌合作業を行うに際して、レバー隣接雌コネクタがレバー２３３に干渉する事態が生じ難くなるので、レバー隣接雌コネクタの嵌合作業を円滑に行うことができる。
【００５１】
以上説明したように本実施形態３のコネクタ（図示せず）を構成するレバー式コネクタ２３０は、嵌合位置とされたレバー２３３におけるレバー隣接雌コネクタ（図示せず）側を向いた側面２３３ｈが、レバー２３３を収容するレバー収容部２３５を有するハウジング（コネクタハウジング）２３１におけるレバー隣接雌コネクタ（図示せず）側を向いた外側面（側面）２３１ｂよりも内側に引っ込んだ位置に配されている。
【００５２】
このようにすれば、レバー式コネクタ２３０に備えられるレバー２３３は、嵌合位置においてレバー隣接雌コネクタ側を向いた側面２３３ｈが、ハウジング２３１におけるレバー隣接雌コネクタ側を向いた外側面２３１ｂよりも内側に引っ込む位置に配されている。従って、例えば、図示しない雄コネクタのレバー式コネクタ用嵌合部に対して先行してレバー式コネクタ２３０を嵌合し、その次に図示しない雄コネクタにおいてレバー式コネクタ用嵌合部に隣り合う配置の雌コネクタ用嵌合部に対して図示しないレバー隣接雌コネクタを嵌合する、といった作業手順を採った場合には、レバー隣接雌コネクタを嵌合する際に、レバー２３３がハウジング２３１におけるレバー隣接雌コネクタ側を向いた外側面２３１ｂよりもレバー隣接雌コネクタ側に突き出すことが避けられているので、レバー隣接雌コネクタがレバー２３３に対して干渉し難くなっている。これにより、レバー隣接雌コネクタの嵌合作業を円滑に行うことができ、作業性に優れる。
【００５３】
＜他の実施形態＞
本発明は上記記述及び図面によって説明した実施形態１〜３に限定されるものではなく、例えば次のような実施形態も本発明の技術的範囲に含まれる。
（１）上記した実施形態２では、レバー隣接雌コネクタに雌コネクタ側誤嵌合規制部を設けた場合を示したが、レバー隣接雌コネクタ以外の雌コネクタに雌コネクタ側誤嵌合規制部を設けるようにしても構わない。
【００５４】
（２）上記した実施形態２では、レバー隣接雌コネクタのみに雌コネクタ側誤嵌合規制部を設けた場合を示したが、複数の雌コネクタに雌コネクタ側誤嵌合規制部を設けるようにしても構わない。その場合、雌コネクタ側誤嵌合規制部が設けられる雌コネクタにレバー隣接雌コネクタが含まれていても良いが、必ずしも含まれていなくても良い。
【００５５】
（３）上記した各実施形態以外にも、誤嵌合規制部及び規制部受け入れ凹部の具体的な形状、配置（形成範囲）、設置数などは適宜に変更可能である。同様に雌コネクタ側誤嵌合規制部及び雌コネクタ用嵌合部側規制部受け入れ部の具体的な形状、配置（形成範囲）、設置数などは適宜に変更可能である。
【００５６】
（４）上記した各実施形態以外にも、指入れ用凹部の形状、配置（形成範囲）、設置数などは適宜に変更可能である。
【００５７】
（５）上記した各実施形態では、レバーが初期位置から嵌合位置に向けて時計回り方向に回動される場合を示したが、レバーが初期位置から嵌合位置に向けて図１に示す反時計回り方向に回動される構成とすることも可能である。その場合、レバー式コネクタ用嵌合部に対して図１に示す左側に隣り合う雌コネクタ用嵌合部に嵌合される雌コネクタを、上記した各実施形態に記載した「レバー隣接雌コネクタ」として取り扱うようにすればよい。
【００５８】
（６）上記した各実施形態では、レバー式コネクタの嵌合作業を他の雌コネクタに先行して行う場合を示したが、例えば、レバー隣接雌コネクタ以外の雌コネクタの嵌合作業を先行して行ってから、レバー式コネクタの嵌合作業を行い、それからレバー隣接雌コネクタの嵌合作業を行うようにしても良い。それ以外にも、レバー隣接雌コネクタの嵌合作業をレバー式コネクタの嵌合作業に先行して行うようにしても良い。その他にも各雌コネクタ及びレバー式コネクタに係る嵌合作業の順番は適宜に変更することができる。
【００５９】
（７）上記した各実施形態以外にも、レバーの回動操作部の具体的な形状や大きさは適宜に変更可能であり、それに伴って回動操作部を受け入れる第１操作部受け入れ凹部、第２操作部受け入れ凹部、及び第３操作部受け入れ凹部の具体的な形状や形成範囲は適宜に変更可能である。
【００６０】
（８）上記した各実施形態では、レバー式コネクタのハウジングに、嵌合位置としたレバーの回動操作部を受け入れる第１操作部受け入れ凹部と第２操作部受け入れ凹部とをそれぞれ設けたものを示したが、回動操作部におけるＺ軸方向についての大きさによっては、第１操作部受け入れ凹部と第２操作部受け入れ凹部とのいずれか一方を省略することも可能である。具体的には、回動操作部がレバー本体に対してＺ軸方向（端子収容部の側面の法線方向）について対向壁部側に突き出すことがない構成であれば、第１操作部受け入れ凹部を省略することができ、逆に回動操作部がレバー本体に対してＺ軸方向について端子収容部側に突き出すことがない構成であれば、第２操作部受け入れ凹部を省略することができる。また、回動操作部がレバー本体に対してＺ軸方向について対向壁部側及び端子収容部側のいずれにも突き出すことがない構成であれば、第１操作部受け入れ凹部と第２操作部受け入れ凹部とを両方とも省略することも可能である。
【００６１】
（９）上記した各実施形態では、レバー式コネクタのハウジングに、初期位置としたレバーの回動操作部を受け入れる第３操作部受け入れ凹部を設けたものを示したが、回動操作部におけるＺ軸方向についての大きさによっては、第３操作部受け入れ凹部を省略することも可能である。具体的には、回動操作部がレバー本体に対してＺ軸方向（端子収容部の側面の法線方向）について対向壁部側に突き出すことがない構成であれば、第３操作部受け入れ凹部を省略することができる。
【００６２】
（１０）上記した各実施形態では、レバー式コネクタにおいて、嵌合位置とされたレバーの後端面がハウジングの後端面と面一状をなす配置としたものを示したが、嵌合位置とされたレバーの後端面がハウジングの後端面よりも前側に引っ込んだ配置とされたものも本発明に含まれる。
【００６３】
（１１）上記した（１０）以外にも、嵌合位置とされたレバーの後端面がハウジングの後端面よりも後側に突き出した配置とされたものも本発明に含まれる。
【００６４】
（１２）上記した各実施形態以外にも、端子収容部における端子金具収容室の数や配置は適宜に変更可能である。
【００６５】
（１３）上記した各実施形態以外にも、雄コネクタにおける雌コネクタ用嵌合部の設置数（嵌合される雌コネクタの数）及び配置については適宜に変更可能である。
【００６６】
（１４）上記した各実施形態では、雄コネクタに備えられる雄端子金具が基板に接続されるタイプのものを例示したが、雄端子金具が電線に接続されるタイプの雄コネクタに対して嵌合されるレバー式コネクタについても本発明は適用可能である。
【００６７】
（１５）上記した各実施形態では、嵌合位置とされたレバーの端部（指掛け部）に隣り合うレバー隣接雌コネクタがレバーを有さない非レバー式コネクタとされたものを示したが、レバー隣接雌コネクタがレバーを有するレバー式コネクタとされたものも本発明に含まれる。
【００６８】
（１６）上記した各実施形態では、レバー収容部の対向壁部に、第１操作部受け入れ凹部及び第３操作部受け入れ凹部が切り欠き形成されるとともに、肉厚部が設けられたものを示したが、このうちの肉厚部のみを省略することも可能である。また、第１操作部受け入れ凹部と第３操作部受け入れ凹部とのいずれか一方または両方と、肉厚部とを省略することも可能である。
【００６９】
（１７）上記した各実施形態では、レバーに設けられた回動操作部がレバー本体に対してＺ軸方向（端子収容部の側面の法線方向）について対向壁部側に突き出して、肉厚部の外面よりも外側に突き出す形態のものを示したが、例えば回動操作部が肉厚部の外面と面一状をなす位置まで突き出す構成としたものや、回動操作部が肉厚部の外面よりは内側で且つ対向壁部の内面（端子収容部の側面に対する対向面）よりも外側となる位置まで突き出す構成としたものも本発明に含まれる。また、それ以外にも、対向壁部及び肉厚部に対する回動操作部の外面のＺ軸方向についての位置関係は適宜に変更可能である。
【符号の説明】
【００７０】
１０，１１０…雄コネクタ（相手コネクタ）、１３，１１３…レバー式コネクタ用嵌合部（第２嵌合部）、１３ａ，１１３ａ…カムピン、１３ｄ，１１３ｄ…誤嵌合規制部（第２嵌合部側誤嵌合規制部）、１４，１１４…雌コネクタ用嵌合部（第１嵌合部）、１４ａ，１１４ａ…ロック部、２０…雌コネクタ（第１コネクタ）、２０Ａ，１２０Ａ…レバー隣接雌コネクタ（第１コネクタ）、２１ｂ，１２１ｂ…ロックアーム、３０，２３０…レバー式コネクタ（第２コネクタ）、３１…ハウジング（コネクタハウジング）、３１ｂ…ハウジング３１ｂの外側面（側面）、３３，２３３…レバー、３３ｃ…カム溝、３３ｆ２…指掛け部（端部）、３３ｈ，２３３ｈ…レバー３３の側面、３４ｃ…規制部受け入れ凹部（第２コネクタ側規制部受け入れ凹部）、３５，２３５…レバー収容部、３９…指入れ用凹部、４０…レバー対向部、４１…雌コネクタ側誤嵌合規制部（第１コネクタ側誤嵌合規制部）、４２…リブ（第１コネクタ側リブ）、４５…雌コネクタ用嵌合部側規制部受け入れ部（第１嵌合部側規制部受け入れ部）、４６…リブ受け入れ部（第１嵌合部側リブ受け入れ部）、Ｃ…コネクタ、ＦＳ…指入れ空間
【図１】
2015072872.tif 000003
【図２】
2015072872.tif 000004
【図３】
2015072872.tif 000005
【図４】
2015072872.tif 000006
【図５】
2015072872.tif 000007
【図６】
2015072872.tif 000008
【図７】
2015072872.tif 000009
【図８】
2015072872.tif 000010
【図９】
2015072872.tif 000011
【図１０】
2015072872.tif 000012
【図１１】
2015072872.tif 000013
【図１２】
2015072872.tif 000014
【図１３】
2015072872.tif 000015
【図１４】
2015072872.tif 000016
【図１５】
2015072872.tif 000017
【図１６】
2015072872.tif 000018
【図１７】
2015072872.tif 000019
【図１８】
2015072872.tif 000020
【図１９】
2015072872.tif 000021
【図２０】
2015072872.tif 000022
【図２１】
2015072872.tif 000023
【図２２】
2015072872.tif 000024
【図２３】
2015072872.tif 000025
【図２４】
2015072872.tif 000026